(57)【要約】【目的】データ転送の際に問題が起こった場合にも利用者に手間を掛けることなく、カメラ部で一時的にデータを保存し、充電の完了や分離したカメラ部の再装着等の問題が解決した時に撮影データの保存が行われるデータ処理装置を提供すること。【構成】画像を撮影する手段と、データを記憶する手段と、データを転送する手段と、供給される出力電圧がデータの転送に十分な動作電圧が保てるかどうか検知する手段と、該検知手段によって機能を制御する手段を含んでデータ処理装置を構成し、前記撮影手段と前記記憶手段を別体構成とする。【選択図】      図１
2004236116.tif 000002
【特許請求の範囲】
【請求項１】
画像を撮影する手段と、データを記憶する手段と、データを転送する手段と、供給される出力電圧がデータの転送に十分な動作電圧が保てるかどうか検知する手段と、該検知手段によって機能を制御する手段を有し、前記撮影手段と前記記憶手段が別体構成であることを特徴とするデータ処理装置。
【請求項２】
前記撮影手段においてデータを記憶する手段を有することを特徴とする請求項１記載のデータ処理装置。
【請求項３】
前記撮影手段と前記記憶手段が着脱可能であり、前記撮影手段と前記記憶手段が装着されているかどうかを検知する検知手段と、該検知手段によって機能を制御する手段を有することを特徴とする請求項１記載のデータ処理装置。
【請求項４】
前記制御手段で転送が停止された場合に転送未終了データを前記撮影手段で再生成する手段と、前記記憶手段で転送が停止された場合に転送未終了データを削除する手段を更に加え、転送が可能になると再転送する手段を有することを特徴とする請求項１記載のデータ処理装置。
【請求項５】
前記制御手段で転送が停止された場合に転送未終了データを受信側で転送終了容量を記憶する手段を更に加え、転送が可能になると再転送する手段を有することを特徴とする請求項１記載のデータ処理装置。
【請求項６】
画像を撮影する手段と、データを記憶する手段と、データを転送する手段と、供給される出力電圧がデータの転送に十分な動作電圧が保てるかどうか検知する手段と、該検知手段によって機能を制御する手段を有し、前記撮影手段と前記記憶手段が別体構成であることを特徴とするデータ処理方法。
【請求項７】
前記撮影手段でデータを記憶する手段を有することを特徴とする請求項６記載のデータ処理方法。
【請求項８】
前記撮影手段と前記記憶手段が着脱可能であり、前記撮影手段と前記記憶手段が装着されているかどうかを検知する手段と、該検知手段によって機能を制御する手段を有することを特徴とする請求項６記載のデータ処理方法。
【請求項９】
前記制御手段で転送が停止された場合に転送未終了データを前記撮影手段で再生成する手段と、前記記憶手段で転送が停止された場合に転送未終了データを削除する手段を更に加え、転送が可能になると再転送する手段を有することを特徴とする請求項６記載のデータ処理方法。
【請求項１０】
前記制御手段で転送が停止された場合に転送未終了データを受信側で転送終了容量を記憶する手段を更に加え、転送が可能になると再転送する手段を有することを特徴とする請求項６記載のデータ処理方法。
【発明の詳細な説明】
【０００１】
【発明の属する技術分野】
本発明は、データ処理装置及びデータ処理方法に関するものである。
【０００２】
【従来の技術】
カメラ機能を有し、カメラ部分と本体部分とが別体構成で、カメラ部分が必要無いときには分離できる構造となっており、撮影時にはカメラ部から本体部への撮影データの転送が行われるようなシステムにおいて、撮影データを転送するのに十分な動作電圧が保てない場合や不測の事態で着脱可能なカメラ部が本体部から分離された場合には、システムのカメラ機能の動作を停止するという対策が採らせれている。
【０００３】
【発明が解決しようとする課題】
従来のシステムにおいて、撮影データを転送前に十分な動作電圧が保てないことが検知された場合や不測の事態で着脱可能なカメラ部が本体部から分離される等の問題が発生した場合は、カメラ機能を停止することができるが、転送中に前記問題が発生した場合に撮影データを保存することができず、撮影したデータが消失してしまう恐れがあった。
【０００４】
本発明は上記問題に鑑みてなされたもので、その目的とする処は、データ転送の際に問題が起こった場合にも利用者に手間を掛けることなく、カメラ部で一時的にデータを保存し、充電の完了や分離したカメラ部の再装着等の問題が解決した時に撮影データの保存が行われるデータ処理装置及びデータ処理方法を提供することにある。
【０００５】
【課題を解決するための手段】
上記目的を達成するため、本発明は、画像を撮影する手段と、データを記憶する手段と、データを転送する手段と、供給される出力電圧がデータの転送に十分な動作電圧が保てるかどうか検知する手段と、該検知手段によって機能を制御する手段を含んでデータ処理装置を構成し、前記撮影手段と前記記憶手段を別体構成としたことを特徴とする。
【０００６】
【発明の実施の形態】
以下に本発明の実施の形態を添付図面に基づいて説明する。
【０００７】
＜実施の形態１＞
本発明の実施の形態１として、撮影データ転送に十分な動作電圧が保てない場合についての本発明の実施の形態を説明する。
【０００８】
図１にこのシステムを実現する実施形態の一例であるバッテリ駆動のカメラ部が着脱可能な電子機器のデータ転送時およびデータ転送停止時におけるデータの流れも含めたブロック図を示す。
【０００９】
図１に示すように、本体部１の方は本体部を制御するＣＰＵ２、カメラ部から転送されてくる撮影データを保存する記憶装置３、システムに電源を供給する電源部４で構成されている。ＣＰＵ２の本体部制御には撮影データ転送に十分な動作電圧が保てるか判定を行い、保てないと判断した場合は転送停止信号をカメラ部へ送ることも含まれる。
【００１０】
カメラ部５は、カメラ部の制御や撮影データの変換等を行うカメラ用ＣＰＵ６、被写体像を光電変換するＣＣＤ７、撮影データ転送に十分な動作電圧が保てない場合に一時的にデータを保存する記憶装置８で構成されている。この記憶装置８は、カメラ部側にデータを保持するためのバックアップ電源を基本的に必要としないＥＥＰＲＯＭ等の記憶装置及びバックアップ電池を内蔵したＳＲＡＭ等の記憶装置とする。
【００１１】
図２を用いて撮影データをカメラ部から本体部へ転送するのに十分な動作電圧が保てるか判定を行い、カメラ部の制御を行う内部フローについて説明する。
【００１２】
先ず、Ｓ２０３で撮影データの転送を開始する。同時に本体部では、Ｓ２１０で撮影データを転送するのに十分な動作電圧が保てるかどうかのチェックを行う。具体的には、出力電圧ＶＡが撮影データの転送を行うのに必要な最低の電圧ＶＢより大きいかどうかのチェックを行う。このチェックはカメラ部で画像データの転送が開始される前でも開始された後でも構わない。ＶＡとＶＢの値を比較しＶＡがＶＢより小さく、撮影データの転送に十分な動作電圧を保証できない場合は、Ｓ２１１でカメラ部へデータ転送停止信号を送る。
【００１３】
ＶＡがＶＢより大きく撮影データの転送に十分な動作電圧が保証される場合にはＳ２１４で転送される撮影データの受信を終了し、Ｓ２１５で転送されたデータを本体部の記憶装置に保存する。Ｓ２０４でデータ転送停止信号を受信した場合にはＳ２０５でデータ転送を停止する。Ｓ２０６で撮影したが転送未終了のデータがあるかどうかを確認し、転送未終了のデータが存在した場合にはＳ２０７で転送未終了のデータを再生成した後、Ｓ２０８でデータをカメラ部に備えられた一時的な記憶装置に保存し、Ｓ２０９でカメラ機能を停止する。
【００１４】
Ｓ２０６で転送未終了のデータがない場合には、そのままＳ２０９でカメラ機能を停止する。尚、カメラ機能が停止中はカメラ部を本体部から分離しても、カメラ部の記憶装置がデータを保持するためのバックアップ電源を基本的に必要としないＥＥＰＲＯＭ等の記憶装置或はバックアップ電池を内蔵したＳＲＡＭ等の記憶装置のため転送未終了データは消失しない。本体部でもＳ２１２で転送未終了のデータがあるかどうか確認し、転送未終了データが存在した場合にはＳ２１３で転送未終了データを削除する。
【００１５】
図３を用いてシステムの充電を行った後、カメラ機能を再稼動するまでのフローを説明する。
【００１６】
Ｓ３０６でシステムの充電を行い、Ｓ２１０と同様にＳ３０７で出力電圧ＶＡが撮影データの転送を行うのに必要な最低の電圧ＶＢより大きいかどうかのチェックを行う。ＶＡがＶＢより大きい場合はＳ３０８でカメラ部へ送っているデータ転送停止信号をＯＦＦにする。カメラ部はＳ３０１でデータ転送停止信号ＯＦＦを受信するとＳ３０２でカメラ部内に未転送データがあるかどうかのチェックを行う。未転送データがある場合には、Ｓ３０３で未転送データの転送を開始／再開する。Ｓ３０４で未転送データの転送が終了すると、Ｓ３０５でカメラ機能を再稼動する。Ｓ３０２で未転送データが無い場合はそのままＳ３０５でカメラ機能を再稼動する。本体部ではＳ３０９で画像データを受信するとＳ３１０で撮影データを記憶装置に保存する。
【００１７】
このように本実施の形態では、撮影データ転送中に転送に十分な動作電圧が保てないと判断された場合にもその時点で転送中のデータを損なうことなく転送を停止し、十分な動作電圧が保てると判断された後に保存することが可能となる。
【００１８】
＜実施の形態２＞
本発明の実施の形態２として、撮影データ転送時にカメラ部と本体部とが分離された場合についての実施の形態を説明する。図１のブロック図に示した実施の形態１と同様のシステムで構成されている。
【００１９】
図４にカメラ部が分離された場合のシステムの内部フローを示す。
【００２０】
先ず、Ｓ４０３で撮影データの転送を開始する。データ転送開始後にＳ４１０でカメラ部、本体部の分離が確認されたらＳ４１１でカメラ部へデータ転送停止信号を送る。Ｓ４０４でデータ転送停止信号を本体部で受信すると、Ｓ４０５で撮影データの転送を停止する。Ｓ４０６で転送未終了データがあるかどうかの確認を行い、転送未終了データがある場合にはＳ４０７で転送未終了データを再生成した後、Ｓ４０８でデータをカメラ部に備えられた一時的な記憶装置に保存し、Ｓ４０９でカメラ機能を停止する。
【００２１】
尚、カメラ機能が停止中はカメラ部を本体部から分離しても、カメラ部の記憶装置がデータを保持するためのバックアップ電源を基本的に必要としないＥＥＰＲＯＭ等の記憶装置或はバックアップ電池を内蔵したＳＲＡＭ等の記憶装置のため転送未終了データは消失しない。
【００２２】
Ｓ４０６で転送未終了のデータがない場合には、そのままＳ４０９でカメラ機能を停止する。本体部ではＳ４１２で転送未終了データがあるか確認し、存在した場合にはＳ４１３で転送未終了データを削除する。
【００２３】
図５を用いてカメラ部と本体部を装着後、カメラ機能を再稼動するまでのフローを説明する。
【００２４】
Ｓ５０７でカメラ部と本体部の装着を確認し、装着されていない場合はＳ５０８で装着する。装着されている場合はＳ５０９でＳ２１０と同様に出力電圧ＶＡが撮影データの転送を行うのに必要な最低の電圧ＶＢより大きいかどうかのチェックを行う。ＶＡがＶＢより大きい場合はＳ５１１でカメラ部へ送っているデータ転送停止信号をＯＦＦにする。
【００２５】
ＶＡがＶＢより小さい場合はＳ５１０でＶＡがＶＢより大きくなるまでカメラ部は駆動しない。カメラ部ではＳ５０２でデータ転送停止信号ＯＦＦを受信すると、Ｓ５０３で未転送データがあるかどうか確認し、未転送データがある場合はＳ５０４で未転送データ転送を開始／再開し、Ｓ５０５で未転送データ転送終了後、Ｓ５０６でカメラ機能を再稼動する。未転送データがない場合には、そのままＳ５０６でカメラ機能を再稼動する。本体部ではＳ５１２で転送されるデータを受信し、Ｓ５１３で撮影データを記憶装置に保存する。
【００２６】
このように本実施の形態では、撮影データ転送中に不測の事態等で着脱可能なカメラ部が本体部から分離された場合にも、その時点で転送中のデータを損なうことなく転送を停止し、十分な動作電圧が保てると判断された後に保存することが可能となる。
【００２７】
＜実施の形態３＞
本発明の実施の形態３として、データ転送を停止する場合のデータ処理について説明する。
【００２８】
実施の形態１，２においてデータ転送中に転送停止信号が出た場合のデータ処理は本体部に送られたデータは消去し、カメラ部で撮影データを再生成して保存し、転送停止信号がＯＦＦされると転送を再開するとした。本実施の形態では、撮影データが途中まで転送された場合に、転送された分のデータは本体部で保存し、転送されたデータ量を記憶しておき、転送を再開する際には転送されなかったデータのみを転送する。
【００２９】
図６及び図７を用いて撮影データが途中まで転送された場合に、転送された分のデータは本体部で保存し、転送を再開する際には転送されなかったデータのみを転送するフローを説明する。
【００３０】
先ず、Ｓ６０１で撮影データの転送を開始する。Ｓ６０７で実施の形態１，２で示したようなデータ転送に問題が発生すると、本体部がＳ６０８でデータ転送停止信号を送るとカメラ部ではＳ６０２でデータ転送停止信号を受信し、Ｓ６０３で画像データ転送を停止する。カメラ部ではＳ６０４で転送未終了のデータがあるか確認し、ある場合にはカメラ部に備えられた一時的な記憶装置に保存し、Ｓ６０６でカメラ機能を停止する。
【００３１】
転送未終了データがない場合には、そのままＳ６０６でカメラ機能を停止する。本体部では、Ｓ６０９で転送未終了のデータがあるか確認し、ある場合にはＳ６１０で転送されたデータを記憶装置に保存し、Ｓ６１１で転送されたデータの容量を記憶する。転送未終了のデータがない場合はそのまま終了する。Ｓ７０９で実施の形態１，２で示したようにチェックを行い、データ転送を停止しなければならない問題が解決するとＳ７１０でカメラ部へ送っているデータ転送停止信号をＯＦＦにする。
【００３２】
Ｓ７０３でカメラ部でデータ転送停止信号ＯＦＦを受信すると、Ｓ７０４，Ｓ７１１で転送未終了データがあるか確認し、ある場合にはＳ７１２で受信済みデータ容量をカメラ部へ通知して、Ｓ７０５でデータ転送再開ポイントを確認し、Ｓ７０６で未転送データを転送開始／再開する。Ｓ７０７で未転送データの転送をＳ７１３で未転送データの受信を終了すると、Ｓ７０８でカメラ部はカメラ機能が再稼動し、本体部ではＳ７１４で転送されたデータを記憶装置へ保存する。
【００３３】
このように本実施の形態では、撮影データ転送中に十分な動作電圧が保てないことが検知された場合や不測の事態等で着脱可能なカメラ部が本体部から分離された場合にも、その時点で転送中のデータを損なうことなく転送を停止し、停止時に本体部へ一度送ったデータを削除する等のロスを無くして十分な動作電圧が保てると判断された後に保存することが可能となる。
【００３４】
尚、本発明は前述の実施の形態に限定されることなく、広く応用することができる。例えば、今までカメラ部分と記憶部分が着脱可能で撮影時には装着するシステムの実施例について述べてきたが、カメラ部分と記憶部分が装着されることなく無線でカメラ部分から撮影データを記憶部分に自動的に転送するシステムにおいても本発明を適用することが可能である。
【００３５】
【発明の効果】
以上の説明で明らかなように、本発明によれば、カメラ機能と記憶機能が着脱可能な別体構成の電子機器で、出力電圧及び装着の検知機能やカメラ機能部の記憶装置を利用することによって撮影データの転送に十分な動作電圧が保てない場合やカメラ機能部が記憶機能部から外れる等の問題が発生した場合にも確実にデータを保持し、問題が解決した後に転送することが可能となる。
【図面の簡単な説明】
【図１】本発明の実施の形態１，２におけるデータ流れとブロック図である。
【図２】本発明の実施の形態１におけるカメラ機能停止までのフローチャートである。
【図３】本発明の実施の形態１における問題解決後、カメラ機能再稼動までのフローチャートである。
【図４】本発明の実施の形態２におけるカメラ機能停止までのフローチャートである。
【図５】本発明の実施の形態２における問題解決後、カメラ機能再稼動までのフローチャートである。
【図６】本発明の実施の形態３におけるカメラ機能停止までのフローチャートである。
【図７】本発明の実施の形態３における問題解決後、カメラ機能再稼動までのフローチャートである。
【符号の説明】
１        本体部
２      ＣＰＵ
３        記憶装置
４        電源部
５        カメラ部
６      ＣＰＵ
７      ＣＣＤ
８        記憶装置
【図１】
2004236116.tif 000003
【図２】
2004236116.tif 000004
【図３】
2004236116.tif 000005
【図４】
2004236116.tif 000006
【図５】
2004236116.tif 000007
【図６】
2004236116.tif 000008
【図７】
2004236116.tif 000009